【手続補正書】
【提出日】平成17年12月15日(2005.12.15)
【手続補正１】
【補正対象書類名】明細書
【補正対象項目名】発明の名称
【補正方法】変更
【補正の内容】
【発明の名称】情報管理装置、情報管理制御方法、プログラム
【手続補正２】
【補正対象書類名】明細書
【補正対象項目名】特許請求の範囲
【補正方法】変更
【補正の内容】
【特許請求の範囲】
【請求項１】  複数のクライアント装置および複数の画像デバイスと通信可能な情報管理装置であって、
前記クライアント装置から受信した印刷ジョブに対して印刷準備処理を実行する実行手段と、
前記実行手段によって印刷準備処理が実行された印刷ジョブを前記画像デバイスに転送する転送手段と、
該情報管理装置によって発行される特定の印刷ジョブを出力するために使用するユーザ識別情報を指定するユーザ識別情報指定手段と、
特定の操作に基づき特定の印刷ジョブを生成する生成手段と、
前記生成手段によって生成された特定の印刷ジョブに対して、前記ユーザ識別情報指定手段によって指定されたユーザ識別情報を添付するユーザ識別情報添付手段を有し、
前記転送手段は、前記ユーザ識別情報添付手段により前記ユーザ識別情報が添付された特定の印刷ジョブを前記画像デバイスに対して転送することを特徴とする情報管理装置。
【請求項２】  前記ユーザ識別情報指定手段により指定された前記ユーザ識別情報をユーザ識別情報記憶手段に記憶し、前記ユーザ識別情報記憶手段に記憶されたユーザ識別情報に対する変更が指示された場合に、入力される管理者用パスワードを認証して変更指示の可否を判定する判定手段と、
前記判定手段により入力される管理者用パスワードの認証が否と判定された場合に、前記ユーザ識別情報記憶手段に記憶されたユーザ識別情報に対する変更指示を無効として登録されているユーザ識別情報を保護するユーザ識別情報保護手段とを有すること、を特徴とする請求項１に記載の情報管理装置。
【請求項３】  前記特定の印刷ジョブの出力が指示された場合、前記特定の印刷ジョブを出力するためのユーザ識別情報が前記ユーザ識別情報記憶手段に記憶されているか否かを判断する判断手段を有し、
前記ユーザ識別情報が添付されていない印刷ジョブを処理可能な画像デバイスに対して印刷ジョブを転送する処理において、前記転送手段は、前記判断手段により前記ユーザ識別情報記憶手段に前記特定の印刷ジョブを出力するためのユーザ識別情報が記憶されていると判断された場合、前記特定の印刷ジョブに基づく出力ページと前記ユーザ識別情報を転送し、前記ユーザ識別情報記憶手段に前記特定の印刷ジョブを出力するためのユーザ識別情報が記憶されていないと判断された場合、ユーザ識別情報を添付することなく前記特定の印刷ジョブに基づく出力ページを転送することを特徴とする請求項２に記載の情報管理装置。
【請求項４】  前記ユーザ識別情報指定手段によって指定される新規のユーザ識別情報と、前記前記画像デバイスから取得される登録済みユーザ識別情報とを比較して有効性を確認するユーザ識別情報確認手段と、
前記ユーザ識別情報確認手段により、前記新規のユーザ識別情報が有効でないと確認された場合には、表示装置に警告を行う警告手段と、を有することを特徴とする請求項１乃至３のいずれか１項に記載の情報管理装置。
【請求項５】  前記特定の操作は、ＰＤＬテスト印刷ジョブ、フォントリストの一覧印刷ジョブの少なくとも１つを出力する指示であり、
前記特定の印刷ジョブは、ＰＤＬテスト印刷ジョブ，フォントリストの一覧印刷ジョブの少なくとも１つであることを特徴とする請求項１乃至４のいずれか１項に記載の情報管理装置。
【請求項６】  複数のクライアント装置および複数の画像デバイスと通信可能な情報管理装置における情報管理制御方法であって、
前記クライアント装置から受信した印刷ジョブに対して印刷準備処理を実行する実行ステップと、
前記実行ステップによって印刷準備処理が実行された印刷ジョブを前記画像デバイスに転送する転送ステップと、
該情報管理装置によって発行される特定の印刷ジョブを出力するために使用するユーザ識別情報を指定するユーザ識別情報指定ステップと、
特定の操作に基づき特定の印刷ジョブを生成する生成ステップと、
前記生成ステップによって生成された特定の印刷ジョブに対して、前記ユーザ識別情報指定ステップによって指定されたユーザ識別情報を添付するユーザ識別情報添付ステップを有し、
前記転送ステップは、前記ユーザ識別情報添付ステップにより前記ユーザ識別情報が添付された特定の印刷ジョブを前記画像デバイスに対して転送することを特徴とする情報管理制御方法。
【請求項７】  前記ユーザ識別情報指定ステップにより指定された前記ユーザ識別情報をユーザ識別情報記憶手段に記憶し、前記ユーザ識別情報記憶手段に記憶されたユーザ識別情報に対する変更が指示された場合に、入力される管理者用パスワードを認証して変更指示の可否を判定する判定ステップと、
前記判定ステップにより入力される管理者用パスワードの認証が否と判定された場合に、前記ユーザ識別情報記憶手段に記憶されたユーザ識別情報に対する変更指示を無効として登録されているユーザ識別情報を保護するユーザ識別情報保護ステップとを有すること、を特徴とする請求項６に記載の情報管理制御方法。
【請求項８】  前記特定の印刷ジョブの出力が指示された場合、前記特定の印刷ジョブを出力するためのユーザ識別情報が前記ユーザ識別情報記憶手段に記憶されているか否かを判断する判断ステップを有し、
前記ユーザ識別情報が添付されていない印刷ジョブを処理可能な画像デバイスに対して印刷ジョブを転送する処理において、前記転送ステップは、前記判断ステップにより前記ユーザ識別情報記憶手段に前記特定の印刷ジョブを出力するためのユーザ識別情報が記憶されていると判断された場合、前記特定の印刷ジョブに基づく出力ページと前記ユーザ識別情報を転送し、前記ユーザ識別情報記憶手段に前記特定の印刷ジョブを出力するためのユーザ識別情報が記憶されていないと判断された場合、ユーザ識別情報を添付することなく前記特定の印刷ジョブに基づく出力ページを転送することを特徴とする請求項７に記載の情報管理制御方法。
【請求項９】  前記ユーザ識別情報指定ステップによって指定される新規のユーザ識別情報と、前記前記画像デバイスから取得される登録済みユーザ識別情報とを比較して有効性を確認するユーザ識別情報確認ステップと、
前記ユーザ識別情報確認ステップにより、前記新規のユーザ識別情報が有効でないと確認された場合には、表示装置に警告を行う警告ステップと、を有することを特徴とする請求項６乃至８のいずれか１項に記載の情報管理制御方法。
【請求項１０】  前記特定の操作は、ＰＤＬテスト印刷ジョブ、フォントリストの一覧印刷ジョブの少なくとも１つを出力する指示であり、
前記特定の印刷ジョブは、ＰＤＬテスト印刷ジョブ，フォントリストの一覧印刷ジョブの少なくとも１つであることを特徴とする請求項６乃至９のいずれか１項に記載の情報管理制御方法。
【請求項１１】  請求項６に記載の情報管理制御方法をコンピュータに実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、複数のクライアント装置および複数の画像デバイスと通信可能な情報管理装置の印刷ジョブ処理に関するものである。
【手続補正４】
【補正対象書類名】明細書
【補正対象項目名】０００９
【補正方法】変更
【補正の内容】
【０００９】
本発明は、上記の課題を解決するためになされたもので、本発明の目的は、ユーザ識別情報が設定されていない特定の印刷ジョブが生成された場合でも、画像デバイスに正常なユーザによる印刷ジョブであることを認知させて印刷処理を行える仕組みを提供することである。
【手続補正５】
【補正対象書類名】明細書
【補正対象項目名】００１０
【補正方法】変更
【補正の内容】
【００１０】
【課題を解決するための手段】
本発明にかかる情報管理装置は、以下の特徴的構成を備える。
複数のクライアント装置および複数の画像デバイスと通信可能な情報管理装置であって、前記クライアント装置から受信した印刷ジョブに対して印刷準備処理を実行する実行手段と、前記実行手段によって印刷準備処理が実行された印刷ジョブを前記画像デバイスに転送する転送手段と、該情報管理装置によって発行される特定の印刷ジョブを出力するために使用するユーザ識別情報を指定するユーザ識別情報指定手段と、特定の操作に基づき特定の印刷ジョブを生成する生成手段と、前記生成手段によって生成された特定の印刷ジョブに対して、前記ユーザ識別情報指定手段によって指定されたユーザ識別情報を添付するユーザ識別情報添付手段を有し、前記転送手段は、前記ユーザ識別情報添付手段により前記ユーザ識別情報が添付された特定の印刷ジョブを前記画像デバイスに対して転送することを特徴とする。
【手続補正６】
【補正対象書類名】明細書
【補正対象項目名】００１１
【補正方法】変更
【補正の内容】
【００１１】
本発明にかかる情報管理方法は、以下の特徴的構成を備える。
複数のクライアント装置および複数の画像デバイスと通信可能な情報管理装置における情報管理方法であって、前記クライアント装置から受信した印刷ジョブに対して印刷準備処理を実行する実行ステップと、前記実行ステップによって印刷準備処理が実行された印刷ジョブを前記画像デバイスに転送する転送ステップと、該情報管理装置によって発行される特定の印刷ジョブを出力するために使用するユーザ識別情報を指定するユーザ識別情報指定ステップと、特定の操作に基づき特定の印刷ジョブを生成する生成ステップと、前記生成ステップによって生成された特定の印刷ジョブに対して、前記ユーザ識別情報指定手段によって指定されたユーザ識別情報を添付するユーザ識別情報添付ステップを有し、前記転送ステップは、前記ユーザ識別情報添付手段により前記ユーザ識別情報が添付された特定の印刷ジョブを前記画像デバイスに対して転送することを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００７８
【補正方法】変更
【補正の内容】
【００７８】
【発明の効果】
以上説明したように、本発明によれば、ユーザ識別情報が設定されていない特定の印刷ジョブが生成された場合でも、画像デバイスに正常なユーザによる印刷ジョブであることを認知させて印刷処理を行える。